(57)【要約】【課題】複数の出力情報ファイルを、従来から使われているラボでも読み取れるように記録する情報記録装置、情報記録方法、および撮影装置を提供する。【解決手段】撮影画像データが記録された記録媒体の第１のフォルダに、撮影画像データに基づく画像をプリント出力するために必要な出力情報が格納された複数の出力情報ファイルを記録するとともに、第１のフォルダに記録された出力情報ファイルのうちの１つの出力情報ファイルを、プリンタ側で利用される第２のフォルダに記録する。【選択図】        図４
2005130170.tif 000002
【特許請求の範囲】
【請求項１】
被写体の画像を表わす画像データが記録される記録媒体が取り出し自在に装填される媒体装填部を備え、該媒体装填部に装填された記録媒体に記録された画像データに基づく画像をプリント出力するために必要な出力情報が記録された出力情報ファイルを該記録媒体上に作成する情報記録装置において、
前記記録媒体上に記録された画像データに基づく画像をプリント出力するプリンタ側では利用されない、該記録媒体上の第１のフォルダ内に、複数の出力情報ファイルを操作に応じて作成するファイル作成部と、
前記第１のフォルダ内の複数の出力情報ファイルの中から１つの出力情報ファイルを選択して、選択した出力情報ファイルを、前記記録媒体の前記プリンタ側で利用される第２のフォルダ内に複製するファイル選択部とを備えたことを特徴とする情報記録装置。
【請求項２】
被写体の画像を表わす画像データが記録される記録媒体が取り出し自在に装填される媒体装填部を備え、該媒体装填部に装填された記録媒体に記録された画像データに基づく画像をプリント出力するために必要な出力情報が記録された出力情報ファイルを該記録媒体上に作成する情報記録装置において、
前記記録媒体上に記録された画像データに基づく画像をプリント出力するプリンタ側では利用されない、該記録媒体上の第１のフォルダ内に、複数の出力情報ファイルを操作に応じて作成するファイル作成部と、
前記第１のフォルダ内の複数の出力情報ファイルに記録された複数の出力情報を統合して、統合された出力情報が記録された出力情報ファイルを、前記記録媒体の前記プリンタ側で利用される第２のフォルダ内に作成するファイル統合部とを備えたことを特徴とする情報記録装置。
【請求項３】
被写体の画像を表わす画像データが記録される記録媒体が取り出し自在に装填される媒体装填部を備え、該媒体装填部に装填された記録媒体に記録された画像データに基づく画像をプリント出力するために必要な出力情報が記録された出力情報ファイルを該記録媒体上に作成する情報記録方法において、
前記記録媒体上に記録された画像データに基づく画像をプリント出力するプリンタ側では利用されない、該記録媒体上の第１のフォルダ内に、複数の出力情報ファイルを操作に応じて作成するファイル作成過程と、
前記第１のフォルダ内の複数の出力情報ファイルの中から１つの出力情報ファイルを選択して、選択した出力情報ファイルを、前記記録媒体の前記プリンタ側で利用される第２のフォルダ内に複製するファイル選択過程とを有することを特徴とする情報記録方法。
【請求項４】
被写体の画像を表わす画像データが記録される記録媒体が取り出し自在に装填される媒体装填部を備え、該媒体装填部に装填された記録媒体に記録された画像データに基づく画像をプリント出力するために必要な出力情報が記録された出力情報ファイルを該記録媒体上に作成する情報記録方法において、
前記記録媒体上に記録された画像データに基づく画像をプリント出力するプリンタ側では利用されない、該記録媒体上の第１のフォルダ内に、複数の出力情報ファイルを操作に応じて作成するファイル作成過程と、
前記第１のフォルダ内の複数の出力情報ファイルに記録された複数の出力情報を統合して、統合された出力情報が記録された出力情報ファイルを、前記記録媒体の前記プリンタ側で利用される第２のフォルダ内に作成するファイル統合過程とを有することを特徴とする情報記録方法。
【請求項５】
被写体を撮影して得られた撮影画像を表わす撮影画像データが記録される記録媒体が取り出し自在に装填される媒体装填部を備え、被写体の撮影を行って撮影画像データを得、該撮影画像データを、前記媒体装填部に装填された記録媒体に記録する撮影装置において、
前記記録媒体上に記録された撮影画像データに基づく画像をプリント出力するプリンタ側では利用されない、該記録媒体上の第１のフォルダ内に、該記録媒体に記録された撮影画像データに基づく画像をプリント出力するために必要な出力情報が記録された出力情報ファイルを操作に応じて複数作成するファイル作成部と、
前記第１のフォルダ内の複数の出力情報ファイルの中から１つの出力情報ファイルを選択して、選択した出力情報ファイルを、前記記録媒体の前記プリンタ側で利用される第２のフォルダ内に複製するファイル選択部とを備えたことを特徴とする撮影装置。
【請求項６】
被写体を撮影して得られた撮影画像を表わす撮影画像データが記録される記録媒体が取り出し自在に装填される媒体装填部を備え、被写体の撮影を行って撮影画像データを得、該撮影画像データを、前記媒体装填部に装填された記録媒体に記録する撮影装置において、
前記記録媒体上に記録された撮影画像データに基づく画像をプリント出力するプリンタ側では利用されない、該記録媒体上の第１のフォルダ内に、該記録媒体に記録された撮影画像データに基づく画像をプリント出力するために必要な出力情報が記録された出力情報ファイルを操作に応じて複数作成するファイル作成部と、
前記第１のフォルダ内の複数の出力情報ファイルに記録された複数の出力情報を統合して、統合された出力情報が記録された出力情報ファイルを、前記記録媒体の前記プリンタ側で利用される第２のフォルダ内に作成するファイル統合部とを備えたことを特徴とする撮影装置。
【発明の詳細な説明】
【技術分野】
【０００１】
本発明は、画像データと、その画像データをプリント出力するために必要な出力情報が記録されたファイルとを記録媒体に記録する情報記録装置、情報記録方法、および、被写体の撮影を行って撮影画像データを得、その撮影画像データと、撮影画像データをプリント出力するために必要な出力情報が記録されたファイルとを記録媒体に記録する撮影装置に関する。
【背景技術】
【０００２】
従来、カメラ等で撮影された撮影画像は、写真店でプリント出力が依頼され、各地の写真店で依頼された撮影画像がラボ（現像所）で一括してプリント出力される。通常は、最初の注文でフィルムや小型記録媒体に記録された全ての撮影画像がプリント出力され、それらの撮影画像のうち、焼き増しが必要なものについては追加注文が行われるサービス形態が利用される。このようなサービス形態では、例えば、必要な撮影画像やその必要枚数が予め分かっている場合であっても、焼き増しの追加注文を行うまでの一連の作業を経る必要があるために時間がかかるうえ、必要のない撮影画像までも全てプリント出力されるため資源の無駄を生じるという問題がある。
【０００３】
このような問題を解決するため、近年では、デジタルカメラで撮影されて、小型記録媒体に記録された撮影画像のうちプリント対象となる画像や出力枚数などといった出力情報を、オペレータが予めファイルに書き込んでおき（このファイルを、以下では出力情報ファイルと称する）、その出力情報ファイルをラボで読み込んで、出力情報に従って撮影画像をプリント出力するサービス形態が提供されている。このサービス形態によると、一度の注文で、必要な撮影画像のみを、必要な枚数だけプリント出力することができるため、必要な撮影画像を得るまでの時間と資源を大幅に削減することができる。
【０００４】
ここで、例えば、複数の人で１つのカメラを共有して使う場合、各人が設定した出力情報が共通の出力情報ファイルに書き込まれてしまうと、自ら設定した出力情報と他の人が設定した出力情報とが混ざってしまい、自分が設定した出力情報を出力情報ファイルから確認することが困難になってしまうという問題がある。この問題点に関し、特許文献１には、１つの小型記録媒体中に複数の出力情報ファイルを記録しておき、それら出力情報ファイルの一覧の中から、設定した出力情報を書き込む出力情報ファイルを選択することができる画像処理装置について記述されている。この画像処理装置によると、例えば個人ごとに出力情報ファイルを用意して、自分用の出力情報ファイルに出力情報を書き込むことができ、焼き増しプリントの指定などを容易に行うことができる。
【特許文献１】特開２０００−２９９８３１号公報
【発明の開示】
【発明が解決しようとする課題】
【０００５】
しかし、デジタルカメラとラボとの間のインタフェース規格によると、記録媒体中の出力情報ファイルは１つであると規定されており、記録媒体中に複数のファイルが記録されている場合には、ラボでは出力情報ファイルを読み込むことができないという問題がある。この問題を解決するためには、複数の出力情報ファイルを扱うことができるように、ラボを修正することが考えられるが、ラボは大型で高価なものであるため、従来のものをそのまま適用したいという要望がある。
【０００６】
本発明は、上記事情に鑑み、複数の出力情報ファイルを、ラボでも読み取れるように記録する情報記録装置、情報記録方法、および撮影装置を提供することを目的とする。
【課題を解決するための手段】
【０００７】
上記目的を達成する本発明の第１の情報記録装置は、被写体の画像を表わす画像データが記録される記録媒体が取り出し自在に装填される媒体装填部を備え、媒体装填部に装填された記録媒体に記録された画像データに基づく画像をプリント出力するために必要な出力情報が記録された出力情報ファイルを記録媒体上に作成する情報記録装置において、
記録媒体上に記録された画像データに基づく画像をプリント出力するプリンタ側では利用されない、記録媒体上の第１のフォルダ内に、複数の出力情報ファイルを操作に応じて作成するファイル作成部と、
第１のフォルダ内の複数の出力情報ファイルの中から１つの出力情報ファイルを選択して、選択した出力情報ファイルを、記録媒体の前記プリンタ側で利用される第２のフォルダ内に複製するファイル選択部とを備えたことを特徴とする。
【０００８】
本発明の第１の情報記録装置によると、画像データが記録された記録媒体の第１のフォルダに複数の出力情報ファイルが記録され、その第１のフォルダに記録された出力情報ファイルのうちの１つが選択されて第２のフォルダに記録される。この第２のフォルダは、デジタルカメラとラボの間のインタフェース規格において、出力情報ファイルを記録するための保存場所と規定されているため、従来から使用されているラボでも、第２のフォルダに記録されたファイルを出力情報ファイルとして読み取ることができる。
【０００９】
また、上記目的を達成する本発明の第２の情報記録装置は、被写体の画像を表わす画像データが記録される記録媒体が取り出し自在に装填される媒体装填部を備え、媒体装填部に装填された記録媒体に記録された画像データに基づく画像をプリント出力するために必要な出力情報が記録された出力情報ファイルを記録媒体上に作成する情報記録装置において、
記録媒体上に記録された画像データに基づく画像をプリント出力するプリンタ側では利用されない、記録媒体上の第１のフォルダ内に、複数の出力情報ファイルを操作に応じて作成するファイル作成部と、
第１のフォルダ内の複数の出力情報ファイルに記録された複数の出力情報を統合して、統合された出力情報が記録された出力情報ファイルを、記録媒体のプリンタ側で利用される第２のフォルダ内に作成するファイル統合部とを備えたことを特徴とする。
【００１０】
第１のフォルダに記録された複数の出力情報ファイルのうち１つの出力情報ファイルを選択するのではなく、それら複数の出力情報ファイルを統合して新しい１つの出力情報ファイルを生成し、その新規の出力情報ファイルを第２のフォルダに記録するという形態も好適である。この好適な形態の情報記録装置によると、第１のフォルダに記録された複数の出力情報ファイルに記録された全ての出力情報が新規の出力情報ファイルに記録されるため、ラボで行われるプリント出力に、それら全ての出力情報を一括して反映させることができる。
【００１１】
また、上記目的を達成する本発明の第１の情報記録方法は、被写体の画像を表わす画像データが記録される記録媒体が取り出し自在に装填される媒体装填部を備え、媒体装填部に装填された記録媒体に記録された画像データに基づく画像をプリント出力するために必要な出力情報が記録された出力情報ファイルを記録媒体上に作成する情報記録方法において、
記録媒体上に記録された画像データに基づく画像をプリント出力するプリンタ側では利用されない、記録媒体上の第１のフォルダ内に、複数の出力情報ファイルを操作に応じて作成するファイル作成過程と、
第１のフォルダ内の複数の出力情報ファイルの中から１つの出力情報ファイルを選択して、選択した出力情報ファイルを、記録媒体のプリンタ側で利用される第２のフォルダ内に複製するファイル選択過程とを有することを特徴とする。
【００１２】
また、上記目的を達成する本発明の第２の情報記録方法は、被写体の画像を表わす画像データが記録される記録媒体が取り出し自在に装填される媒体装填部を備え、媒体装填部に装填された記録媒体に記録された画像データに基づく画像をプリント出力するために必要な出力情報が記録された出力情報ファイルを記録媒体上に作成する情報記録方法において、
記録媒体上に記録された画像データに基づく画像をプリント出力するプリンタ側では利用されない、記録媒体上の第１のフォルダ内に、複数の出力情報ファイルを操作に応じて作成するファイル作成過程と、
第１のフォルダ内の複数の出力情報ファイルに記録された複数の出力情報を統合して、統合された出力情報が記録された出力情報ファイルを、記録媒体のプリンタ側で利用される第２のフォルダ内に作成するファイル統合過程とを有することを特徴とする。
【００１３】
本発明の情報記録方法によれば、プリント出力に必要な出力情報が記録された複数の出力情報ファイルを、従来から使われているラボでも読み取れるように記録することができる。
【００１４】
また、上記目的を達成する本発明の第１の撮影装置は、被写体を撮影して得られた撮影画像を表わす撮影画像データが記録される記録媒体が取り出し自在に装填される媒体装填部を備え、被写体の撮影を行って撮影画像データを得、撮影画像データを、媒体装填部に装填された記録媒体に記録する撮影装置において、
記録媒体上に記録された撮影画像データに基づく画像をプリント出力するプリンタ側では利用されない、記録媒体上の第１のフォルダ内に、記録媒体に記録された撮影画像データに基づく画像をプリント出力するために必要な出力情報が記録された出力情報ファイルを操作に応じて複数作成するファイル作成部と、
第１のフォルダ内の複数の出力情報ファイルの中から１つの出力情報ファイルを選択して、選択した出力情報ファイルを、記録媒体の前記プリンタ側で利用される第２のフォルダ内に複製するファイル選択部とを備えたことを特徴とする。
【００１５】
また、上記目的を達成する本発明の第２の撮影装置は、被写体を撮影して得られた撮影画像を表わす撮影画像データが記録される記録媒体が取り出し自在に装填される媒体装填部を備え、被写体の撮影を行って撮影画像データを得、撮影画像データを、媒体装填部に装填された記録媒体に記録する撮影装置において、
記録媒体上に記録された撮影画像データに基づく画像をプリント出力するプリンタ側では利用されない、記録媒体上の第１のフォルダ内に、記録媒体に記録された撮影画像データに基づく画像をプリント出力するために必要な出力情報が記録された出力情報ファイルを操作に応じて複数作成するファイル作成部と、
第１のフォルダ内の複数の出力情報ファイルに記録された複数の出力情報を統合して、統合された出力情報が記録された出力情報ファイルを、記録媒体のプリンタ側で利用される第２のフォルダ内に作成するファイル統合部とを備えたことを特徴とする。
【００１６】
例えば、デジタルカメラなどのような撮影装置を複数の人で使用する場合に、撮影画像のプリント枚数等といった出力状態を各ユーザごとに指定して、それら出力状態を表わす出力情報を各自用の出力情報ファイルに記録しておく。このように各自用の出力情報ファイルに出力情報を記録することによって、例えば焼き増し注文などで出力状態を再指定する際に、他の人が指定した出力状態と混同してしまう不都合を避けることができる。このとき撮影装置では、撮影画像が記録された記録媒体の第１のフォルダに複数の出力情報ファイルが記録されるとともに、第１のフォルダに記録された複数のファイルの中から最新のファイルが選択されたり、それら複数の出力情報ファイルが統合されるなどして１つの出力情報ファイルが決定され、決定された出力情報ファイルが第２のフォルダに記録される。この記録媒体をラボに提出すると、ラボでは、第２のフォルダに記録された出力情報ファイルに格納された出力情報に基づいて、撮影画像がプリントされる。したがって、複数のファイルを手動で１つにまとめるなどといった煩雑な動作をすることなく、必要な撮影画像のみを、必要な枚数だけプリントすることができ、必要な撮影画像を得るまでの時間と資源の無駄を大幅に削減することができる。
【発明の効果】
【００１７】
本発明によれば、複数の出力情報ファイルを、従来から使われているラボでも読み取れるように記録する情報記録装置、情報記録方法、および撮影装置を提供することができる。
【発明を実施するための最良の形態】
【００１８】
以下、本発明の実施形態について説明する。
【００１９】
図１は、本発明の一実施形態が適用されたデジタルカメラを示す外観図である。
【００２０】
図１のパート（Ａ）には、デジタルカメラ１０の正面図が示されている。デジタルカメラ１０の正面には、外観上、撮影時に押されるシャッタボタン１１、シャッタボタン１１の押下に同期して発光する閃光発光部１２、閃光発光部１２から発光された光量を計測する調光センサ１３、撮影者が被写体の位置などを定めるために覗くファインダ１４、および、被写体に焦点を合わせるフォーカスレンズや撮影画角を切り替えるズームレンズなどで構成されるレンズ群１５が備えられている。
【００２１】
また、図１のパート（Ｂ）には、デジタルカメラ１０の背面図が示されている。デジタルカメラ１０の背面には、予め用意されているメニュー画面や、撮影画像などを表示する表示用ＬＣＤ１６、動作の決定を指示するＯＫボタン１７、動作の取消を指示するキャンセルボタン１８、表示用ＬＣＤ１６にメニュー画面を表示させるメニューボタン１９、表示用ＬＣＤ１６に表示されたメニュー画面から所望の動作を選択するための十字ボタン２０、および、撮影画像が記録される記録メディアが装填されるメディア装填部２１が備えられている。このメディア装填部２１は、本発明にいう媒体装填部の一例にあたる。
【００２２】
ここで、デジタルカメラ１０の内部の構造について説明する。
【００２３】
図２は、デジタルカメラ１０の主要部のブロック図である。
【００２４】
デジタルカメラ１０には、ズームレンズ１１１、絞り兼用シャッタ１１３、フォーカスレンズ１１５、モータドライバ１１２，１１４，１１６、撮像素子１２１、ＡＤ変換部１２２、信号処理部１２３、圧縮伸張部１２４、ＣＰＵ１３１、エンコーダ１３２、メディアコントローラ１３３、スイッチ群１３４、メモリ１３５、図１にも示す、閃光発光部１２、表示用ＬＣＤ１６などが具備されており、さらに、記録メディア１４０が接続されている。
【００２５】
まず、スイッチ群１３４について説明する。
【００２６】
スイッチ群１３４には、図示しないが、図１のシャッタボタン１１の押下に伴って入切するシャッタスイッチ、撮影画角を望遠撮影・広角撮影に切り替えるズームスイッチ、メニューボタン１９の押下に伴って表示用ＬＣＤ１３４にメニュー画面などを表示する表示スイッチなどが備えられている。スイッチ群３６０を構成している各スイッチが設定されると、ＣＰＵ１３１に各スイッチの設定状況が伝えられる。
【００２７】
次に、スイッチ群１３４以外の各部分について説明する。
【００２８】
ＣＰＵ１３１は、撮影画角の中央付近にある被写体にピントを合わせるときの合焦位置や、絞り量およびシャッタスピードなどを算出するとともに、合焦時のフォーカスレンズ１１５の位置や、撮影画角に応じたズームレンズ１１１の位置を決定する。さらに、ＣＰＵ１３１は、スイッチ群１３４から伝えられた各スイッチの設定状況に応じて、図２の各部への動作の指示を行なう。このＣＰＵ１３１は、本発明にいうファイル作成部、ファイル選択部、およびファイル統合部それぞれの一例に相当する。
【００２９】
ズームレンズ１１１およびフォーカスレンズ１１５は、図１に示すレンズ群１５を構成する。ズームレンズ１１１は、撮影画角を調節するためのレンズである。ズームレンズ１１１には、モータドライバ１１２によって駆動されて回転するモータ（図示しない）が取り付けられており、モータドライバ１１２は、ＣＰＵ１３１からの指示を受けてモータを駆動し、ズームレンズ１１１を指示されたレンズ位置に移動させる。フォーカスレンズ１１５は、被写体に焦点をあわせるためのレンズである。フォーカスレンズ１１５にも、ズームレンズ１１１と同様に、モータ（図示しない）およびモータドライバ１１６が備えられている。モータドライバ１１６は、ＣＰＵ１３１からの指示に従ってモータを駆動して、フォーカスレンズ１１５を指示されたレンズ位置に移動させる。絞り兼用シャッタ１１３は、カメラ１０の内部に入ってくる光の量を調整する絞りが備えられたシャッタである。絞り兼用シャッタ１１３のモータドライバ１１６は、ＣＰＵ１３１から絞り量とシャッタスピードの情報を受け取ると、絞り兼用シャッタ２７１に取りつけられたモータを駆動して、絞り兼用シャッタ２７１を切る。
【００３０】
撮像素子１２１は、図１のレンズ群１５を通ってきた被写体光を受光して、被写体光に基づく被写体像を、アナログ信号である被写体信号として読み取る。この被写体信号は、ＡＤ変換部１２２に出力される。ＡＤ変換部１２２は、撮像素子１２１で生成された被写体信号をデジタルの撮影画像データに変換する。信号処理部１２３は、ＡＤ変換部１２２で変換された撮影画像データに、ＲＧＢレベルの調節や、ガンマ調整などといった所定の信号処理を施す。信号処理が施された撮影画像データは、ＣＰＵ１３１に送られる。圧縮伸張部１２４は、ＣＰＵ１３１からの指示に従って、撮像画像データを記録メディア１４０に記録するために圧縮したり、撮影画像を表示用ＬＣＤ１３２に表示させるために、記録メディア１４０に記録されている圧縮された撮影画像データを伸張する。
【００３１】
エンコーダ１３２は、撮影画像データを表示用ＬＣＤ１６で表示できるデータの形に変換する。また、メディアコントローラ１３３は、ＣＰＵ１３１の指示に従って、記録メディア１４０への撮影画像データの記録や読み出しを制御する。
【００３２】
本実施形態のデジタルカメラ１０は、基本的には以上のように構成されている。
【００３３】
ここで、被写体が撮影されて生成された撮影画像データは、記録メディア１４０に記録される。オペレータは、記録メディアに記録された撮影画像データのうちの、どの撮影画像データを何枚プリント出力するかといった出力状態を指定して、その出力状態を表わす出力情報が格納された出力情報ファイルを撮影画像データといっしょに記録メディア１４０に記録させる。撮影画像データをプリント出力する際には、オペレータが記録メディア１４０をラボに提出し、ラボでは、その記録メディア１４０に記録された出力情報ファイルに書き込まれた出力状態に合わせて、撮影画像データをプリント出力する。
【００３４】
ところで、本実施形態においては、例えば焼き増し注文などといった出力状態を変更する作業を容易にするために、オペレータごとに出力状態ファイルが生成され、記録メディアには複数の出力情報ファイルが記録される。しかし、デジタルカメラとラボのインタフェースの規格上、記録メディアに記録される出力情報ファイルは１つであると規定されており、記録メディア１４０に複数の出力情報ファイルが記録されている場合には、ラボでは出力情報ファイルを読み取ることができないという問題がある。
【００３５】
図３は、オペレータが出力状態を指定してから、出力状態を表わす出力情報がファイルに格納されて、ファイルが記録媒体に記録されるときの、デジタルカメラ内で行われる一連の処理を示すフローチャートである。以下では、このフローチャートに従って、複数の出力情報ファイルを、ラボで読み取ることができるように記録メディア１４０に記録する処理について説明する。
【００３６】
まず、オペレータは、図１に示すメニューボタン１９を押して、予め用意されている出力情報設定画面と、記録メディア１４０に記録されている出力情報ファイルの一覧とを表示用ＬＣＤ１６に表示させる。オペレータは、出力情報設定画面に従い、ＯＫボタン１７、キャンセルボタン１８、および十字ボタン２０などを使って、記録メディア１４０に記録されている撮影画像の出力状態を指定する。また、出力情報ファイルの一覧に自分用の出力情報ファイルが存在する場合には、十字ボタン２０などを使って、自分用の出力情報ファイルを選択する。
【００３７】
このとき、デジタルカメラ１０の内部では、図２に示すスイッチ群１３４から送られてくる操作信号によってＣＰＵ１３１に出力状態が指定され、その出力状態を表わす出力情報が生成される。
【００３８】
図４は、出力情報ファイル、および撮影画像データが記録された記録メディアの概念図である。
【００３９】
記録メディア１４０には、最上位フォルダＦ０の下に、ラボで出力情報ファイルとして読み取られるファイルＤ０が記録される規定の記録場所である「ＭＩＳＣ」フォルダＦ１と、オペレータが出力状態を指示することによって生成された複数の出力情報ファイルＤ２，Ｄ３，Ｄ４が保存される「ＭＵＬＴＩ」フォルダＦ２と、撮影画像を表わす撮影画像データＤ６，Ｄ７…が保存される「ＤＡＴＡ」フォルダＦ３とが用意されている。この「ＭＵＬＴＩ」フォルダＦ２は、本発明にいう第１のフォルダの一例にあたり、「ＭＩＳＣ」フォルダＦ１は、本発明にいう第２のフォルダの一例に相当する。
【００４０】
例えば、オペレータが自分用の出力情報ファイルとして、出力情報ファイルＤ６を選択すると、ＣＰＵ１３１は、生成した出力情報を、選択された出力情報ファイルＤ６に記録する。また、オペレータが自分用の出力情報ファイルを選択しない場合には、ＣＰＵ１３１は、新しい出力情報ファイルＤ５を生成し、その出力情報ファイルＤ５に出力情報を記録する。このとき、新しく生成された出力情報ファイルＤ５は、「ＭＵＬＴＩ」フォルダＦ２に記録される（図３のステップＳ１＿１）。このステップＳ１＿１の処理は、本発明の情報記録方法におけるファイル作成過程の一例に相当する。
【００４１】
「ＭＵＬＴＩ」フォルダＦ２に記録された出力情報ファイルが更新されたり、「ＭＵＬＴＩ」フォルダＦ２内に新しい出力情報ファイルが生成されると、ＣＰＵ１３１内では、「ＭＵＬＴＩ」フォルダＦ２内に記録された出力情報ファイルのうち最後に更新（新規生成も含む）された出力情報ファイルが選択される（図３のステップＳ１＿２）。例えば、図４に示す「ＭＵＬＴＩ」フォルダＦ２内の出力情報ファイルＤ２，Ｄ３，Ｄ４，Ｄ５のうちで、出力情報ファイルＤ５が最後に更新されたとすると、この出力情報ファイルＤ５が最新の出力情報ファイルとして選択される。
【００４２】
最新の出力情報ファイルが選択されると、ＣＰＵ１３１は、その最新の出力情報のコピーを生成する（図３のステップＳ１＿３）。
【００４３】
さらに、ＣＰＵ１３１は、生成した出力情報ファイルのコピーを、図４に示す「ＭＩＳＣ」フォルダＦ１内のファイルＤ０に上書きして記録する（図３のステップＳ１＿４）。これらステップＳ１＿２、ステップＳ１＿３、およびステップＳ１＿４を合わせた一連の処理は、本発明にいうファイル選択過程の一例に相当する。
【００４４】
以上のような一連の処理により、オペレータが出力状態を指定することによって生成された複数の出力情報ファイルのうちの最新の出力情報ファイルが、自動的に、ラボで読み取ることができる「ＭＩＳＣ」フォルダＦ１内のファイルＤ０として記録される。このように、本実施形態によると、複数の出力情報ファイルが生成された場合であっても、従来から使われているラボでも出力情報ファイルが読み取れるように、それらの出力情報ファイルを記録メディア１４０に記録することができる。
【００４５】
以上で、本発明の第１実施形態の説明を終了し、第２実施形態の説明を行う。第１実施形態と第２実施形態とでは、同じ装置構成を有するため、図２、および図３を本実施形態でも使って、第１実施形態との相違点のみ説明する。
【００４６】
第１実施形態においては、図２に示すＣＰＵ１３１は、図４に示す「ＭＵＬＴＩ」フォルダＦ２内の出力情報ファイルＤ２，Ｄ３，Ｄ４，Ｄ５のうち、最後に更新された出力情報ファイルを選択して、その出力情報ファイルを「ＭＩＳＣ」フォルダＦ１内のファイルＤ０として登録したが、本実施形態では、「ＭＵＬＴＩ」フォルダＦ２内の出力情報ファイルＤ２，Ｄ３，Ｄ４，Ｄ５が統合されて１つの統合ファイルが生成され、その統合ファイルが「ＭＩＳＣ」フォルダＦ１内のファイルＤ０として記録される。
【００４７】
図５は、複数の出力情報ファイルを統合する一連の処理を示すフローチャートである。
【００４８】
第１実施形態の場合と同様に、オペレータが、図４に示す記録メディア１４０に記録された撮影画像Ｄ６，Ｄ７…それぞれの出力状態を指定すると、図２に示すＣＰＵ１３１は、新しい出力情報ファイルＤ５を生成し、その出力情報ファイルＤ５に出力情報を記録する。出力情報ファイルＤ５は、第１実施形態と同様に、「ＭＵＬＴＩ」フォルダＦ２内に記録される。
【００４９】
「ＭＵＬＴＩ」フォルダ内の出力情報ファイルが更新され、あるいは新規生成されると、ＣＰＵ１３１では、統合ファイルの生成が開始される（図５のステップＳ２＿１）。
【００５０】
まず、「ＭＵＬＴＩ」フォルダＦ２内に保存された出力情報ファイルＤ２，…，Ｄ５が順に検索されて、それら出力情報ファイルに記録された出力情報が参照される（図５のステップＳ２＿２）。
【００５１】
ＣＰＵ１３１では、初めに、出力情報ファイルＤ２が参照されて（図５のステップＳ２＿３）、その出力情報ファイルＤ２に記録されている出力情報がメモリ１３５に保管される（図５のステップＳ２＿４）。同様に、出力情報ファイルＤ３が参照されて、その出力情報ファイルＤ３に記録されている出力情報がメモリ１３５に保管される。この処理が、「ＭＵＬＴＩ」フォルダＦ２に保存された全ファイルに対して行われる。
【００５２】
「ＭＵＬＴＩ」フォルダＦ２に記録された全ファイルに対して上記の処理が行われると、図５のステップＳ２＿３からステップＳ２＿５に進む。
【００５３】
メモリ１３５に出力情報が保管されている場合、図５のステップＳ２＿５からステップＳ２＿６に進み、統合ファイルが生成される。ＣＰＵ１３１は、新しいファイルＤ０を生成し、そのファイルＤ０に、メモリ１３５に保管された全ての出力情報を統合して記録する。さらに、ＣＰＵ１３１は、その生成された新しいファイルを、「ＭＩＳＣ」フォルダＦ１に記録する。これらステップＳ２＿１からステップＳ２＿６までの一連の処理は、本発明にいうファイル統合過程の一例にあたる。
【００５４】
以上のような一連の処理によって、「ＭＩＳＣ」フォルダＦ１には、「ＭＵＬＴＩ」フォルダＦ２中の全ての出力情報ファイルに記録された全ての出力情報が反映されたファイルＤ０が記録される。この記録媒体１４０をラボに提出すると、ラボでは、「ＭＩＳＣ」フォルダＦ１内のファイルＤ０が参照されて、ファイルＤ０に記録された出力情報が表わす出力状態に合わせて、「ＤＡＴＡ」フォルダＦ３内に記録された撮影画像データＤ６，Ｄ７…がプリント出力される。このように、本実施形態によると、複数の出力情報ファイルに記録された出力情報を全て反映したファイルを、従来から使用されているラボで出力情報ファイルとして参照させることができる。
【００５５】
ここで、上記説明では、第１のフォルダに記録された出力情報ファイルのうち、最後に更新された出力情報ファイルを選択する例について説明したが、本発明の情報記録装置および撮影装置は、例えば、オペレータからファイルの指定を受けて、その指定された出力情報ファイルを選択するファイル選択部を備えたものであってもよい。
【００５６】
また、上記では、第１のフォルダに記録された出力情報ファイルのうち１つの出力情報ファイルをコピーして、コピーした出力情報ファイルを第２のフォルダに記録する例について説明したが、本発明の情報記録装置および撮影装置は、例えば、第１のフォルダに記録された出力情報ファイルのうち１つの出力情報ファイルを第２のフォルダに移動させるものであってもよい。
【００５７】
また、上記では、出力状態として撮影画像の出力枚数を指定する例について説明したが、本発明にいう出力状態は、例えば、撮影日時のプリント出力の有無などといったものであってもよい。
【図面の簡単な説明】
【００５８】
【図１】本発明の一実施形態が適用されたデジタルカメラを示す外観図である。
【図２】デジタルカメラの主要部のブロック図である。
【図３】出力状態を表わす出力情報がファイルに格納されて、ファイルが記録媒体に記録されるときの、デジタルカメラ内で行われる一連の処理を示すフローチャートである。
【図４】出力情報ファイル、および撮影画像データが記録された記録メディアの概念図である。
【図５】複数の出力情報ファイルを統合する一連の処理を示すフローチャートである。
【符号の説明】
【００５９】
１０    デジタルカメラ
１１    シャッタボタン
１２    閃光発光装置
１３    調光センサ
１４    ファインダ
１５    レンズ群
１６    表示用ＬＣＤ
１７    ＯＫボタン
１８    キャンセルボタン
１９    メニューボタン
２０    十字ボタン
２１    記録メディア装填部
１１１    ズームレンズ
１１２    モータドライバ
１１３    絞り兼用シャッタ
１１４    モータドライバ
１１５    フォーカスレンズ
１１６    モータドライバ
１２１    撮像素子
１２２    ＡＤ変換部
１２３    信号処理部
１２４    圧縮伸張部
１３１    ＣＰＵ
１３２    エンコーダ
１３３    メディアコントローラ
１３４    スイッチ群
１３５    メモリ
１４０    記録メディア
【図１】
2005130170.tif 000003
【図２】
2005130170.tif 000004
【図３】
2005130170.tif 000005
【図４】
2005130170.tif 000006
【図５】
2005130170.tif 000007